(57)【要約】【課題】スイッチと、その接点の開閉状態に応じて所定の処理を実行する制御装置とを備えた電子装置において、接点の開閉状態が変化していないときに開閉状態に対応するデータが制御装置に入力されることによる無駄な消費電力をなくす。【解決手段】スイッチ５と、その接点５ａ，５ｂの開閉状態に応じて所定の処理を実行する制御装置１とを備えている。発振子２の出力をカウンタ３で分周して、所定周期のパルスを生成し、抵抗４を介してスイッチ５に印加する。抵抗４の両端から、接点５ａ，５ｂの開閉状態に応じた電圧を取り出し、スイッチ状態変化検出回路６により開閉状態の変化を検出したときに、制御装置１の入力（IN）に供給する。【選択図】  図１
2008211498.tif 000002
【特許請求の範囲】
【請求項１】
開閉自在な接点を有するスイッチと、該接点の開閉状態を間欠的に検出するスイッチ状態検出手段と、該スイッチ状態検出手段により検出された前記接点の開閉状態データに応じて所定の処理を実行する制御装置とを備えた電子装置において、
前記開閉状態データに基づいて、前記接点の開閉状態の変化を検出するスイッチ状態変化検出手段と、該スイッチ状態変化検出手段により前記変化が検出されたときに、前記開閉状態データを前記制御装置へ送出する手段とを有することを特徴とする電子装置。
【請求項２】
請求項１記載の電子装置において、
前記スイッチ状態検出手段は、前記接点に間欠的に電圧を印加する手段と、該手段による電圧の印加時に前記接点に流れる電流の有無に応じて、前記開閉状態データを生成する手段とを有し、前記スイッチ状態変化検出手段は、該開閉状態データに基づいて、前記接点の開閉状態が前回の電圧印加時から変化したことを検出する手段を有することを特徴とする電子装置。
【請求項３】
請求項２記載の電子装置において、
前記接点の前回の開閉状態に応じて、今回変化を検出する開閉状態を設定する手段を備え、前記スイッチ状態変化検出手段は、該設定する手段の出力及び前記スイッチ状態検出手段の出力に基づいて、前記接点の開閉状態が変化したことを検出することを特徴とする電子装置。
【請求項４】
請求項２又は３記載の電子装置において、
前記電圧を印加する手段は、前記制御手段によりリセットされるとともに、所定の周波数のクロックを分周するカウンタと、該カウンタの出力端子と前記スイッチの一方の接点とに接続された抵抗であることを特徴とする電子装置。
【請求項５】
請求項４記載の電子装置において、前記開閉状態データは前記抵抗の両端の電位であることを特徴とする電子装置。
【請求項６】
請求項５記載の電子装置において、
前記スイッチ状態変化検出手段は、前記抵抗の両端の電位と、前記設定する手段の電位とが入力されるアンド回路、前記抵抗の両端の電位と、前記設定する手段の電位とが入力されるナンド回路、並びに前記アンド回路及びナンド回路の出力が入力されるノア回路とからなることを特徴とする電子装置。
【請求項７】
請求項４〜６のいずれかに記載の電子装置において、
前記スイッチ状態変化検出手段の出力により前記カウンタをリセットすることを特徴とする電子装置。
【発明の詳細な説明】
【技術分野】
【０００１】
本発明は、開閉自在な接点を有するスイッチと、その接点の開閉状態を間欠的に検出するスイッチ状態検出手段と、その接点の開閉状態に応じて所定の処理を実行する制御装置とを備えた電子装置に関し、より詳細には、接点の開閉状態が変化していないときに開閉状態を検出したデータが制御装置に入力されることによる無駄な消費電力をなくした電子装置に関する。
【背景技術】
【０００２】
各種電子装置の入力手段として、開閉自在な接点を有するスイッチが利用されている。これらのスイッチでは、ユーザの手動操作などにより可動接点を動作させることで可動接点と固定接点との間を開閉し、それらの接点間を短絡（メーク）させたり、開放（ブレーク）させたりすることができる。スイッチの接点の開閉状態は、シングルチップマイクロコンピュータ（以下、１チップマイコンと言う）などからなる制御装置により読み取られ、制御装置は接点の開閉状態に応じて各種処理を実行する。
【０００３】
このような電子装置において、スイッチの接点の開閉状態に対応するデータを制御装置に入力するためのスイッチ状態検出手段として、スイッチの接点間に間欠的に直流電圧を印加し、その電圧の印加によって接点間に流れる電流に応じた電圧を制御装置に入力することにより、スイッチの開閉状態を入力するときの消費電力を低減するように構成したものがある（特許文献１参照）。
【０００４】
図５は、このようなスイッチ状態検出手段を備えた電子装置の要部構成を示す図である。この電子装置は、制御装置１１と、電源とグランドとの間に接続された、半導体スイッチ１２、抵抗１３、及びスイッチ１４の直列回路とからなる。制御装置１１は、ＣＰＵ、ＲＯＭ、ＲＡＭなどを内蔵する１チップマイコンからなる。スイッチ１４は固定接点１４ａ及び可動接点１４ｂを有する。制御装置１１の出力端子（OUT）は半導体スイッチ１２の制御端子（図示せず）に接続されている。また、抵抗１３とスイッチ１４とを接続するライン上のＡ点の電位が制御装置１１の入力端子（IN）に入力されるように構成されている。
【０００５】
図６は図５に示す電子装置の動作を示すタイミングチャートである。この図において、「スイッチ状態」の「オン」はスイッチ１４が閉じた状態、即ち固定接点１４ａと可動接点１４ｂとの間が閉じて短絡されている状態であり、「オフ」はスイッチ１４が開いた状態、即ち固定接点１４ａと可動接点１４ｂとの間が開いて開放されている状態である。「タイマー割り込みは」、制御装置１１内の図示しないタイマーが、一定周期（例、１秒）で制御装置１１内のＣＰＵに対し、割り込みをかけていることを示す。「ＳＷオン制御」は、タイマー割り込みに応じて、ＣＰＵが出力端子（OUT）から、半導体スイッチ１２をオンにするためのパルスを送出していることを示す。「ＣＰＵ動作」は、制御装置１１の入力端子（IN）に入力された信号に応じて、ＣＰＵが動作している状態を示す。
【０００６】
図６に示すように、スイッチ１４は、時刻ｔ11でオンからオフに変化し、次に時刻ｔ14でオフからオンに変化する。半導体スイッチ１２は、制御装置１１から一定周期で供給されるパルスにより、時刻ｔ12でオンになる。半導体スイッチ１２がオンになると、電源電圧が半導体スイッチ１２及び抵抗１３を介してスイッチ１４の固定接点１４ａ側に印加される。このとき、スイッチ１４はオフ、即ち固定接点１４ａと可動接点１４ｂとの間は開いているため、スイッチ１４の接点間に電流は流れない。従って、制御装置１１の入力端子（IN）には、電源電位と略等しい“Ｈ（ハイ）”レベルの電位が供給される。制御装置１１のＣＰＵは、入力された“Ｈ”レベルの電圧により、スイッチ１４がオフに変化したことを認識し、スイッチ１４のオフに対応する処理を実行した後に時刻ｔ13でスリープ状態となる。これにより、時刻ｔ13で半導体スイッチ１２はオフになる。
【０００７】
次いで半導体スイッチ１２は時刻ｔ15でオンになる。このとき、スイッチ１４はオン、即ち固定接点１４ａと可動接点１４ｂとの間は閉じているため、スイッチ１４の接点間に電流が流れる。従って、制御装置１１の入力端子（IN）には、グランド電位と略等しい“Ｌ（ロウ）”レベルの電位が供給される。制御装置１１のＣＰＵは、入力された“Ｌ”レベルの電圧により、スイッチ１４がオンに変化したことを認識し、スイッチ１４のオンに対応する処理を実行した後に時刻ｔ16でスリープ状態となる。
【０００８】
次に半導体スイッチ１２は時刻ｔ17でオンになる。このときも時刻ｔ15と同じく、スイッチ１４はオンであるため、制御装置１１の入力端子（IN）には、グランド電位と略等しい“Ｌ（ロウ）”レベルの電位が供給される。制御装置１１のＣＰＵは、入力された“Ｌ”レベルの電圧により、スイッチ１４が時刻ｔ15から変化していないことを認識すると、時刻ｔ18で直ちにスリープ状態となる。
【０００９】
しかしながら、図５に示す電子装置では、時刻ｔ17からｔ18迄の間は、スイッチ１４の接点の開閉状態が変化していないにもかかわらず、ＣＰＵは接点の状態を検出したデータを読み込んでいるため、ＣＰＵが無駄な動作を行っていることになり、その間の消費電力が無駄になっている。
【００１０】
【特許文献１】特開２００５−５７４３３号公報（図８、図９）
【発明の開示】
【発明が解決しようとする課題】
【００１１】
本発明はこのような問題点を解決するためになされたもので、その目的は、開閉自在な接点を有するスイッチと、その接点の開閉状態を間欠的に検出するスイッチ状態検出手段と、その接点の開閉状態に応じて所定の処理を実行する制御装置とを備えた電子装置において、接点の開閉状態が変化していないときに開閉状態を検出したデータが制御装置に入力されることによる無駄な消費電力をなくすことである。
【課題を解決するための手段】
【００１２】
請求項１の発明は、開閉自在な接点を有するスイッチと、該接点の開閉状態を間欠的に検出するスイッチ状態検出手段と、該スイッチ状態検出手段により検出された前記接点の開閉状態データに応じて所定の処理を実行する制御装置とを備えた電子装置において、前記開閉状態データに基づいて、前記接点の開閉状態の変化を検出するスイッチ状態変化検出手段と、該スイッチ状態変化検出手段により前記変化が検出されたときに、前記開閉状態データを前記制御装置へ送出する手段とを有することを特徴とする。
請求項２の発明は、請求項１記載の電子装置において、前記スイッチ状態検出手段は、前記接点に間欠的に電圧を印加する手段と、該手段による電圧の印加時に前記接点に流れる電流の有無に応じて、前記開閉状態データを生成する手段とを有し、前記スイッチ状態変化検出手段は、該開閉状態データに基づいて、前記接点の開閉状態が前回の電圧印加時から変化したことを検出する手段を有することを特徴とする。
請求項３の発明は、請求項２記載の電子装置において、前記接点の前回の開閉状態に応じて、今回変化を検出する開閉状態を設定する手段を備え、前記スイッチ状態変化検出手段は、該設定する手段の出力及び前記スイッチ状態検出手段の出力に基づいて、前記接点の開閉状態が変化したことを検出することを特徴とする。
請求項４の発明は、請求項２又は３記載の電子装置において、前記電圧を印加する手段は、前記制御手段によりリセットされるとともに、所定の周波数のクロックを分周するカウンタと、該カウンタの出力端子と前記スイッチの一方の接点とに接続された抵抗であることを特徴とする。
請求項５の発明は、請求項４記載の電子装置において、前記開閉状態データは前記抵抗の両端の電位であることを特徴とする。
請求項６の発明は、請求項５記載の電子装置において、前記スイッチ状態変化検出手段は、前記抵抗の両端の電位と、前記設定する手段の電位とが入力されるアンド回路、前記抵抗の両端の電位と、前記設定する手段の電位とが入力されるナンド回路、並びに前記アンド回路及びナンド回路の出力が入力されるノア回路とからなることを特徴とする。
請求項７の発明は、請求項４〜６のいずれかに記載の電子装置において、前記スイッチ状態変化検出手段の出力により前記カウンタをリセットすることを特徴とする。
【００１３】
（作用）
本発明によれば、スイッチの接点の開閉状態を間欠的に検出し、接点の開閉状態が変化したことを検出したときのみ、開閉状態の検出データを制御装置へ入力し、制御装置は、入力された開閉状態の検出データに応じて、接点の開閉状態に応じた処理を実行する。
【発明の効果】
【００１４】
本発明によれば、開閉自在な接点を有するスイッチと、その接点の開閉状態を間欠的に検出するスイッチ状態検出手段と、その接点の開閉状態に応じて所定の処理を実行する制御装置とを備えた電子装置において、接点の開閉状態が変化していないときに開閉状態を検出したデータが制御装置に入力されることによる無駄な消費電力をなくすことができる。
【発明を実施するための最良の形態】
【００１５】
以下、図面を参照しながら本発明の実施形態について説明する。
［第1の実施形態］
図１は本発明の実施形態の電子装置の要部構成を示す図である。この電子装置は、例えば電池駆動の携帯或いは固定の情報端末或いは通信端末のような省電力化が要請されている装置である。
【００１６】
図１に示すように、この電子装置は、制御装置１と、発振子２と、発振子２の出力を分周するカウンタ３と、カウンタ３の出力側に接続された、抵抗４とスイッチ５との直列回路と、スイッチ５の接点の開閉状態が変化したことを検出したときに、その開閉状態を出力するスイッチ状態変化検出回路６とを備えている。
【００１７】
制御装置１は、ＣＰＵ、ＲＯＭ、ＲＡＭなどを内蔵する１チップマイコンからなる。スイッチ５は固定接点５ａ及び可動接点５ｂを有する。制御装置１１の出力端子（OUT）、及び制御端子（CNT）は、それぞれカウンタのリセット端子（RST）、スイッチ状態変化検出回路６に接続されている。また、抵抗４の両端の電位がスイッチ状態変化検出回路６に供給されるように構成されており、その出力が制御装置１の入力端子（IN）に入力されるように構成されている。
【００１８】
スイッチ状態変化検出回路６は、抵抗４の両端の電位及び制御装置１の制御端子（CNT）の出力が入力されるアンド（AND）回路７及びナンド（NAND）回路８と、アンド回路７の出力及びナンド回路８の出力が入力されるノア（NOR）回路９とからなる。アンド回路７はスイッチ５がオン（固定接点５ａと可動接点５ｂとの間が閉じた状態）からオフ（固定接点５ａと可動接点５ｂとの間が開いた状態）に変化したときに「Ｈ」レベルを出力し、ナンド回路８はスイッチ５がオフからオンに変化したときに「Ｈ」レベルを出力する。ノア回路９は入力される「Ｈ」レベルを反転し、制御装置１の入力端子（IN）へ出力する。
【００１９】
図２は、図１に示す電子装置の動作を示すタイミングチャートである。この図において、「スイッチ状態」の「オン」はスイッチ５の接点間が閉じた状態であり、「オフ」は開いた状態である。「カウンタ出力は」、カウンタ３が制御装置１の出力端子（OUT）から供給されたリセットパルスによりリセットされた後、発振子２の出力を分周して生成した所定の周期及びデューティー比を有するパルスである。「CNT出力」、制御装置１の制御端子（CNT）からスイッチ状態変化検出回路６に供給される「Ｈ」レベル又は「Ｌ」レベルの信号であって、「Ｈ」レベルが供給されているときは、スイッチ状態変化検出回路６は、スイッチ５が閉じた状態から開いた状態に変化したときに出力信号を生成し、「Ｌ」レベルが供給されているときは、スイッチ状態変化検出回路６は、スイッチ４が開いた状態から閉じた状態に変化したときに出力信号を生成して、それぞれの出力信号を制御装置１の入力端子（IN）に供給するように構成されている。ここで、制御装置１が「CNT出力」を生成するためのデータは、制御装置１内のＲＡＭに保持されている。「AND出力」、「NAND出力」、「IN入力」は、それぞれアンド回路７の出力、ナンド回路８の出力、制御装置１の入力端子（IN）の入力（＝ノア回路９の出力）である。「ＣＰＵ動作」は、制御装置１の入力端子（IN）に入力された信号に応じて、ＣＰＵが動作している状態を示す。
【００２０】
図２に示すように、スイッチ５は時刻ｔ1でオフからオンに変化し、次に時刻ｔ4でオンからオフに変化する。「CNT出力」は時刻ｔ1よりも前に「Ｌ」レベルに設定されている。時刻ｔ1より前の時刻ｔ0から時刻ｔ1迄の間では、カウンタ３の出力が周期的に「Ｈ」レベルになり、抵抗４を介してスイッチ５の固定接点５ｂ側に「Ｈ」レベルの電圧が供給されたとき、スイッチ５は開いているから、抵抗４及びスイッチ５の接点間には電流は流れない。このため、抵抗４の両端の点Ｂ、Ｃの電位はともに「Ｈ」レベルとなる。従って、アンド回路7の入力については、抵抗4の両端からの出力はともに「Ｈ」レベルとなるものの、「CNT出力」が「Ｌ」レベルであるため、アンド回路7の出力は「Ｈ」レベルにならない。また、ナンド回路８の入力については、抵抗４の両端の「Ｈ」レベルのうち、スイッチ側の点Ｃの電位は反転されて「Ｌ」レベルとなって入力され、カウンタ側の点Ｂの電位は「Ｈ」レベルのまま入力されるから、ナンド回路８の出力は「Ｈ」レベルにならない。従って、時刻ｔ0からｔ1までの間では、カウンタ３が抵抗４を介してスイッチ５に間欠的に電圧を印加しても、制御装置１の入力端子（IN）にスイッチの開閉状態を示すデータは供給されない。
【００２１】
次に時刻ｔ1以後の最初のカウンタ出力が時刻ｔ2で「Ｈ」レベルになる。このとき、スイッチ５は閉じているから、抵抗４及びスイッチ５の接点間に電流が流れる。従って、抵抗４の両端の電位のうち、スイッチ側の点Ｃの電位は「Ｌ」レベル、カウンタ側の点Ｂの電位は「Ｈ」レベルとなる。この結果、ナンド回路８の入力のうち、「CNT出力」及び点Ｃの「Ｌ」レベルは、ともに反転され、「Ｈ」レベルとなって入力され、点Ｂの「Ｈ」レベルはそのまま入力される。これにより、ナンド回路８の出力レベルも「Ｈ」となり、それがノア回路９により「Ｌ」レベルに反転され、制御装置１の入力端子（IN）に入力される。制御装置１のＣＰＵは、スイッチ５がオンに変化したことを認識し、スイッチ５のオンに対応する処理を実行し、さらに「CNT出力」を「Ｈ」に設定した直後の時刻ｔ3にスリープ状態となる。
【００２２】
時刻ｔ3以降、スイッチ５がオンからオフに変化する時刻ｔ4迄の間では、カウンタ３の出力が周期的に「Ｈ」レベルになり、抵抗４を介してスイッチ５の固定接点５ｂ側に「Ｈ」レベルの電圧が供給されたとき、ナンド回路８の入力のうち、抵抗４の両端の電位は時刻ｔ2と同じであるが、「CNT出力」は時刻ｔ2のときの「Ｌ」レベルから「Ｈ」レベルに変化している。従って、ナンド回路８の出力も時刻ｔ2とは異なり、「Ｈ」レベルにはならない。また、アンド回路７については、「CNT出力」及び点Ｂの電位は「Ｈ」レベルであるが、点Ｃの電位が「Ｌ」レベルであるため、アンド回路７の出力も「Ｈ」レベルにはならない。従って、時刻ｔ3からｔ4までの間では、カウンタ３が抵抗４を介してスイッチ５に間欠的に電圧を印加しても、制御装置１の入力端子（IN）にスイッチの開閉状態を示すデータは供給されない。
【００２３】
次に時刻ｔ4以後の最初のカウンタ出力が時刻ｔ5で「Ｈ」レベルになる。このときスイッチ5は開いているから、抵抗４及びスイッチ５の接点間に電流は流れない。このため、抵抗４の両端の電位はともに「Ｈ」レベルとなる。また、「CNT出力」も「Ｈ」レベルである。従って、時刻ｔ5にてアンド回路７の３つの入力のレベルは全て「Ｈ」になるから、アンド回路７の出力レベルも「Ｈ」となり、それがノア回路９により「Ｌ」レベルに反転され、制御装置１の入力端子（IN）に入力される。制御装置１のＣＰＵは、スイッチ５がオフに変化したことを認識し、スイッチ５のオフに対応する処理を実行し、さらに「CNT出力」を「Ｌ」に設定した直後の時刻ｔ6にスリープ状態となる。
【００２４】
このように、本実施形態のスイッチ状態検出手段によれば、カウンタ３により、抵抗４を介してスイッチ５の接点に間欠的に電圧を印加し、カウンタ３による電圧の印加時にスイッチ５の接点間に流れる電流の有無に応じて、スイッチ５の接点の開閉状態に対応するレベル（「Ｈ」、「Ｌ」）の電位を抵抗４の両端から取り出し、それらの電位と、スイッチ５の接点の前回の開閉状態に応じて、今回変化を検出する開閉状態に対応するレベル（「Ｈ」、「Ｌ」）の電位を制御装置１により設定し、抵抗４の両端の電位と、制御装置１による設定電位とをアンド回路７及びナンド回路８で論理演算することにより、スイッチ５が閉じた状態（オン）から開いた状態（オフ）に変化したときにアンド回路７から「Ｈ」レベルを出力し、スイッチ５が開いた状態から閉じた状態に変化したときにナンド回路８から「Ｈ」レベルを出力し、それらをノア回路９により「Ｌ」レベルに反転し、制御装置１の入力端子（IN）に供給するので、接点の開閉状態が変化したときのみ、その開閉状態を示すデータが制御装置１に入力される。これにより、スイッチ５の接点の開閉状態が変化しないときには制御装置１のＣＰＵは動作しないため、接点の開閉状態が変化していないときに開閉状態を示すデータが制御装置１に入力されることによる無駄な消費電力をなくすことができる。
【００２５】
なお、図１では、制御装置１とは独立した発振子２を設け、その出力をカウンタ３で分周しているが、発振子２を設ける代わりに、制御装置１として、高速（例、１０ＭＨｚ）のメインクロックを生成する第１の水晶発振子と、低速（例、３２ｋＨｚ）のサブクロックを生成する第２の水晶発振子とが外付けされたものを用い、そのサブクロックをカウンタ３で分周するように構成してもよい。
【００２６】
［第２の実施形態］
図３は本発明の第２の実施形態の電子装置の構成を示す図である。この図において、図１と対応する部分には図１と同じ符号を付した。
【００２７】
本実施形態の電子装置は、制御装置１として、高速（例、１０ＭＨｚ）のメインクロックを生成する第１の水晶発振子Ｘ1と、低速（例、３２ｋＨｚ）のサブクロックを生成する第２の水晶発振子とがＸ2外付けされたものを用い、そのサブクロックをカウンタ３に供給して分周するように構成している。ここで、メインクロックはＣＰＵの通常の動作時に使用するクロックであり、サブクロックはスリープ状態のときに使用するクロックである。
【００２８】
また、本実施形態では、スイッチ状態変化検出回路６の出力を制御装置１の入力端子（IN）に入力するとともに、カウンタ３のリセット端子（RST）に供給する。即ち、制御装置１の出力端子（OUT）からのリセットパルスと、スイッチ状態変化検出回路６の出力とをアンド回路１０を介して、カウンタ３のリセット端子（RST）に供給する。
【００２９】
図４は、図１に示すスイッチ状態検出手段の動作を示すタイミングチャートである。この図において、時刻ｔ21〜ｔ24、及びｔ31〜ｔ34は、それぞれ図２における時刻ｔ2〜ｔ3、及びｔ5〜ｔ6に対応する時刻である。また、「RST入力」は、カウンタのリセット端子の入力を示す。
【００３０】
図４に示すように、カウンタ３の出力が時刻ｔ21で「Ｈ」レベルになる。このとき、スイッチ５は閉じているから、第1の実施形態と同様、ナンド回路8の出力が「H」レベルとなり、これがノア回路8により「Ｌ」レベルに反転される。ここで、便宜上、第１の実施形態では無視したが、スイッチ状態変化検出回路６内の論理回路の動作の遅延により、カウンタ３の出力が時刻ｔ21で「Ｈ」レベルに変化すると同時にノア回路９の出力が「Ｌ」レベルに変化するのではなく、ノア回路９の出力は時刻ｔ21より遅れた時刻ｔ22で「Ｌ」レベルに変化する。この「Ｌ」レベルへの変化は、第1の実施形態と同様、制御装置1の入力端子（IN）へ入力される。さらに、本実施形態では、この「Ｌ」レベルの変化がアンド回路１０に入力され、その動作の遅延により時刻ｔ23にて「Ｌ」レベルが出力される。そして、この出力によりカウンタ３がリセットされるので、カウンタ３の出力パルスの幅は、スイッチ状態変化検出回路６及びアンド回路10の動作遅延時間の和に相当する幅となるから、第１の実施形態（図２）より狭くなる。このリセット動作は、スイッチ状態変化検出回路６が「Ｌ」レベルの出力を生成する毎、換言すれば、スイッチ５の接点の開閉状態の変化を検出する毎に行われる。そして、パルス幅が狭くなった分だけ、スイッチ５が閉じている時に抵抗４に流れる電流が少なくなり、その分だけ消費電力が少なくなる。
【００３１】
このように、本実施形態によれば、第１の実施形態よりもさらに消費電力を低減することができる。
【図面の簡単な説明】
【００３２】
【図１】本発明の第１の実施形態の電子装置の構成を示す図である。
【図２】本発明の第１の実施形態の電子装置の動作を示すタイミングチャートである。
【図３】本発明の第２の実施形態の電子装置の構成を示す図である。
【図４】本発明の第２の実施形態の電子装置の動作を示すタイミングチャートである。
【図５】従来の電子装置の構成を示す図である。
【図６】従来の電子装置の動作を示すタイミングチャートである。
【符号の説明】
【００３３】
１・・・制御装置、２・・・発振子、３・・・カウンタ、４・・・抵抗、５・・・スイッチ、５ａ・・・固定接点、５ｂ・・・可動接点、６・・・スイッチ状態変化検出回路、７，１０・・・アンド回路、８・・・ナンド回路、９・・・ノア回路
【図１】
2008211498.tif 000003
【図２】
2008211498.tif 000004
【図３】
2008211498.tif 000005
【図４】
2008211498.tif 000006
【図５】
2008211498.tif 000007
【図６】
2008211498.tif 000008